(57)【要約】【課題】室外側面に吹きつけた雨水等が下部まで確実に流れるようにした丸窓とする。【解決手段】環状の枠１内にパネル２を設けて丸窓３とし、この枠１の室外側面１ａの外周縁に環状突片４を設けると共に、この環状突片４の下半分に内向片５を設けて排水溝６を形成した丸窓で、枠１の室外側面１ａとパネル２の室外側面２ａ（丸窓３の室外側面３ａ）に吹きつけられた雨水等は、環状突片４、排水溝６に沿って丸窓３の下部まで流れ、その丸窓３の外周縁から外部に流れることがないので、室外側面に吹きつけられた雨水等が丸窓３の下部まで確実に流れる。【選択図】図３
2007146575.tif 000002
【特許請求の範囲】
【請求項１】
環状の枠内にパネルを装着した丸窓であって、
前記枠の室外側面における外周縁に環状突片が室外側に向けて設けてあり、
この環状突片の少なくとも下半分の室外側端近傍に内向片を設け、この内向片の室内側面と環状突片の内周面と枠の室外側面とで排水溝を形成していることを特徴とする丸窓。
【請求項２】
枠の室外側面における下部に排水用部品を取付け、
この排水用部品は排水溝に連通した排水用流路を有し、
その排水用流路の出口部分は、枠の外周面の下部よりも下方で、かつ枠の室外側面よりも室外側に位置する請求項１記載の丸窓。
【請求項３】
枠とパネルの外周面との間に環状空間を形成し、
この環状空間の下部を、排水用部品の排水用流路に通路によって連通した請求項２記載の丸窓。
【請求項４】
内向片の下部分を、排水用部品の左右寸法に合わせて除去し、その除去部に排水用部品を嵌め込んで取付けて左右の両側面を排水溝とそれぞれ対向し、
この排水用部品の排水用流路の入口部分を、当該排水用部品の左右の両側面に開口して排水溝に連通すると共に、通路に連通した請求項３記載の丸窓。
【請求項５】
室外側枠と室内側枠をパネルを介して接合することで環状の枠内にパネルを装着した丸窓とし、
前記室外側枠の室外側面における外周縁に環状突片が室外側に向けて設けてあり、
この環状突片の少なくとも下半分の室外側端近傍に内向片を設け、この内向片の室内側面と環状突片の内周面と枠の室外側面とで排水溝を形成し、
前記室外側枠の室外側面における下部に排水用部品を取付け、
この排水用部品は排水溝に連通した排水用流路を有し、
その排水用流路の出口部分は、室外側枠の外周面の下部よりも下方で、かつ室外側枠の室外側面よりも室外側に位置し、
前記室内側枠の室外側面における下部に、パネルの室内側面に生じた結露水を前記排水用部品の排水用流路に流す排水用凹部を形成し、
この排水用凹部の下端縁は、室外側枠と室内側枠との接合部よりも室外側に位置し、かつその下端縁に水切り用のヒレを設けたことを特徴とする丸窓。
【発明の詳細な説明】
【技術分野】
【０００１】
本発明は、建物躯体の開口部などに取付ける嵌め殺しタイプの丸窓に関する。
【背景技術】
【０００２】
嵌め殺しタイプの丸窓としては、特許文献１に開示されるように、環状の枠と、この枠内に組み込まれたパネルと、このパネルを固定する押し縁から構成され、その枠を建物躯体の開口部に取付けるようにした丸窓が知られている。
【０００３】
【特許文献１】特開２００５−８３１０６号公報
【発明の開示】
【発明が解決しようとする課題】
【０００４】
前述したような丸窓においては、丸窓の室外側面に吹きつけられた雨水等が、その室外側面に沿って真っ直ぐに下方に流れて丸窓の下半分の外周縁から建物外壁に流れ落ちることがあるので、その建物外壁における丸窓の直径に見合う広い範囲に亘って雨水等が流れ落ち、建物外壁の広い範囲を流れ落ちる雨水等で汚すことがある。
前述した従来の丸窓においては、枠の室外側面における外周縁に、室外側に向かう環状突片を一体的に設け、丸窓の室外側面に吹きつけられた雨水等が環状突片に沿って下方に流れ落ちないようにしている。
【０００５】
しかし、前述のように環状突片を設けただけでは、強風雨時や大雨の時などに、丸窓の室外側面に吹きつけられた雨水等が環状突片を越えて建物外壁に流れ落ちることがあり、丸窓の室外側面に吹きつけられた雨水等を確実に丸窓の下部まで流すことができない。
【０００６】
本発明は、丸窓の室外側面に吹きつけられた雨水等が、その丸窓の下部まで確実に流れるようにした丸窓を提供することを目的とする。
【課題を解決するための手段】
【０００７】
本発明の第１の丸窓は、環状の枠内にパネルを装着した丸窓であって、
前記枠の室外側面における外周縁に環状突片が室外側に向けて設けてあり、
この環状突片の少なくとも下半分の室外側端近傍に内向片を設け、この内向片の室内側面と環状突片の内周面と枠の室外側面とで排水溝を形成していることを特徴とする丸窓である。
【０００８】
本発明の第２の丸窓は、室外側枠と室内側枠をパネルを介して接合することで環状の枠内にパネルを装着した丸窓とし、
前記室外側枠の室外側面における外周縁に環状突片が室外側に向けて設けてあり、
この環状突片の少なくとも下半分の室外側端近傍に内向片を設け、この内向片の室内側面と環状突片の内周面と枠の室外側面とで排水溝を形成し、
前記室外側枠の室外側面における下部に排水用部品を取付け、
この排水用部品は排水溝に連通した排水用流路を有し、
その排水用流路の出口部分は、室外側枠の外周面の下部よりも下方で、かつ室外側枠の室外側面よりも室外側に位置し、
前記室内側枠の室外側面における下部に、パネルの室内側面に生じた結露水を前記排水用部品の排水用流路に流す排水用凹部を形成し、
この排水用凹部の下端縁は、室外側枠と室内側枠との接合部よりも室外側に位置し、かつその下端縁に水切り用のヒレを設けたことを特徴とする丸窓である。
【０００９】
本発明の第１の丸窓においては、枠の室外側面における下部に排水用部品を取付け、
この排水用部品は排水溝に連通した排水用流路を有し、
その排水用流路の出口部分は、枠の外周面の下部よりも下方で、かつ枠の室外側面よりも室外側に位置することができる。
【００１０】
このようにすれば、丸窓の室外側面に吹きつけられた雨水等を排水溝から排水用流路を通して排水できる。
また、排水用流路の出口部分は、枠の外周面の下部よりも下方で、かつ枠の室外側面よりも室外側に位置するので、その出口部分から流れた雨水等を水切りし、その雨水等が枠の外周面の下部に流れることがないようにできる。
したがって、丸窓の室外側面に吹きつけられた雨水等を丸窓の下部の一箇所から排水することができ、この丸窓を取付けした建物外壁を汚すことが低減する。
【００１１】
本発明の第１の丸窓においては、枠とパネルの外周面との間に環状空間を形成し、
この環状空間の下部を、排水用部品の排水用流路に通路によって連通することができる。
【００１２】
このようにすれば、枠とパネルの外周面との間に生じた結露水を排水用部品の排水用流路を利用して排水することができる。
【００１３】
本発明の第１の丸窓においては、内向片の下部分を、排水用部品の左右寸法に合わせて除去し、その除去部に排水用部品を嵌め込んで取付けて左右の両側面を排水溝とそれぞれ対向し、
この排水用部品の排水用流路の入口部分を、当該排水用部品の左右の両側面に開口して排水溝に連通すると共に、通路に連通することができる。
【００１４】
このようにすれば、枠に排水用部品を簡単に取付けできる。
【発明の効果】
【００１５】
本発明の第１の丸窓及び第２の丸窓によれば、丸窓の室外側面に吹きつけられた雨水等は、その少なくとも上半分においては環状突片の内側面に沿って下方に流れ、少なくとも下半分においては排水溝に沿って丸窓の下部まで流れる。
したがって、強風雨時や大雨の時などに、丸窓の室外側面に吹きつけられた雨水等を丸窓の下部まで確実に流すことができ、その丸窓の外周縁から外部に流れ落ちることがないから、この丸窓を取付けた建物外壁を広い範囲に亘って汚すことがない。
【００１６】
本発明の第２の丸窓によれば、丸窓の室外側面に吹きつけられた雨水等とパネルの室内側面に生じた結露水を排水用部品の排水用流路を通して一箇所から排水できる。
また、その排水用流路の出口部分は室外側枠の外周面の下部よりも下方で、かつ室外側枠の室外側面よりも室外側に位置しているから、その排水用流路から排水する雨水等を水切りして室外側枠の外周面の下部に流れないようにできる。
また、排水用凹部に沿って流れる結露水は水切り用のヒレで水切りされ、室外側枠と室内側枠の接合部に向けて流れることがないので、その結露水が前述の接合部から外部に流れることがない。
したがって、この丸窓を建物躯体に取付けた時に、前述の結露水が建物躯体に流れることがない。
【発明を実施するための最良の形態】
【００１７】
図１、図２、図３に示すように、環状の枠１内にガラス、樹脂プレートなどのパネル２を装着して丸窓３としてある。
前記枠１の室外側面１ａにおける外周縁には環状突片４が室外側に向けて一体的に設けてある。
この環状突片４における少なくとも下半分（好ましくは下半分）の室外側端近傍には内向片５が設けてあり、この内向片５は枠１の室外側面１ａと対向している。そして、前記内向片５の室内側面５ａと環状突片４の内周面４ａと枠１の室外側面１ａで断面ほぼコ字状の排水溝６を形成している。
この排水溝６は枠１の室外側面１ａにおける外周縁の少なくとも下半分に形成され、この排水溝６の正面形状はほぼ半円形状である。
なお、前記下半分とは、１８０度の範囲の部分、１８０度よりも若干大きな角度の範囲の部分、１８０度よりも若干小さな角度の範囲の部分を含むものである。
また、前記内向片５は環状突片４と一体であるが、別体として接着又は嵌合などで取付けても良い。
【００１８】
このようであるから、枠１の室外側面１ａ、パネル２の室外側面２ａ（つまり、丸窓３の室外側面３ａ）に吹きつけられた雨水等は、その少なくとも上半分においては環状突片４の内側面４ａに沿って下方に流れ、その少なくとも下半分においては排水溝６に沿って丸窓３の下部まで流れる。
したがって、強風雨時や大雨の時などに、丸窓３の室外側面３ａに吹きつけられた雨水等を丸窓３の下部まで確実に流すことができ、丸窓３の外周縁から外部に流れ落ちることがなく、この丸窓を取付けた建物外壁の広い範囲を雨水等で汚すことがない。
【００１９】
前記枠１の室外側面１ａにおける下部に排水用部品１０が取付けてある。この排水用部品１０は、前記排水溝６に連通した排水流路１１を有し、この排水流路１１の出口部分１１ａは枠１の外周面１ｂの下部よりも下方で、かつ枠１の室外側面１ａよりも室外側に位置し、その排水流路１１の出口部分１１ａから排水される雨水等を水切りして、その雨水等が枠１の外周面１ｂの下部に流れることないようにしてある。
このようであるから、丸窓の下部の一箇所から集中して排水できるし、その排水した雨水等が丸窓を取付けた建物外壁に沿って流れ落ちることを防止できる。
【００２０】
具体的には、前記内向片５の下部分を排水用部品１０の左右寸法に合わせて切断して除去し、その除去部５ｂに排水用部品１０を嵌め込んで枠１の室外側面１ａにビス１２で固着して取付け、その左右の両側面１０ａを排水溝６とそれぞれ対向する。この排水用部品１０はビス１２に限ることはなく、嵌込み、貼付け等で固着しても良い。
この排水用部品１０の排水用流路１１の入口部分１１ｂは、前記排水溝６に連通している。例えば、排水用流路１１の入口部分１１ｂは排水用部品１０の左右の両側面１０ａに開口して排水溝６に連通している。
【００２１】
この実施の形態では、パネル２の外周面２ｂと枠１との間に環状空間７を形成し、枠１に発生した結露水などが環状空間７に流入するようにしてある。
この環状空間７の下部は、前記排水用部品１０の排水用流路１１の入口部分１１ｂに通路８で連通している。
この通路８には弁９が設けてある。この弁９は環状空間７側から排水用流路１１の入口部分１１ｂに雨水等が流通することを許容するが、排水用流路１１の入口部分１１ｂから環状空間７に向けては空気、雨水等が流通することを阻止する。
このようであるから、枠１に発生した結露水を排水用部品１０の排水用流路１１を通して排水できると共に、強風雨時などに排水用部品１０の排水用流路１１を通して環状空間７に雨水等が吹き込むことがない。
【００２２】
次に、枠１の具体形状を説明する。
前記枠１は図３に示すように、室外側枠２０と室内側枠３０を突き合わせ連結したものである。その室外側枠２０に装着した室外側シール材４０がパネル２の室外側面２ａに押しつけられると共に、室内側枠３０に装着した室内側シール材４１がパネル２の室内側面２ｃに押しつけられてパネル２を枠に装着している。
【００２３】
前記室外側枠２０の室外側面２０ａが前述の枠１の室外側面１ａで、その室外側面２０ａに前述の環状突片４、内向片５、排水用部品１０が設けてある。室外側枠２０の室内側面２０ｂは図３、図４に示すように、外周側面２１と、内周側面２２と、その外周側面２１と内周側面２２を連続する円形の内向面２３で階段形状で、その外周側面２１が内周側面２２よりも室内側寄りである。
この内周側面２２に環状溝２４が形成され、この環状溝２４に前述の室外側シール材４０が装着してある。
前記内周側面２２と内周面２０ｃとのコーナー部（つまり、室外側枠２０の内周縁）には環状の内周側ヒレ２５が室内側に向けて一体的に設けてある。この内周側ヒレ２５は弾性を有する。すなわち、この室外側枠２０は樹脂製である。
前記円形の内向面２３には、図４に示すようにパネル２を支持するための突起２６が周方向に間隔を置いて複数設けてある。
前記内向面２３の下部には凹陥部２７が形成され、この凹陥部２７に前記通路８が開口連通している。
前記外周側面２１にビス穴２８が形成してある。
前記室外側枠２０の外周面２０ｄは円形で、その外周面２０ｄに取付け用プレート２９が一体的に設けてある。この取付け用プレート２９は矩形状であり、丸窓を矩形状の取付枠に簡単に取付けできる。
【００２４】
前記室内側枠３０の室外側面３０ａは図３、図５に示すように、外周側面３１と、内周側面３２と、その外周側面３１と内周側面３２を連続する円形の外向面３３で階段形状で、その外周側面３１が内周側面３２よりも室内側寄りである。
前記内周側面３２には環状溝３４が形成され、この環状溝３４に前記室内側シール材４１が装着してある。
前記内周側面３２と内周面３０ｂとのコーナー部（つまり、室内側枠３０の内周縁）には、環状の内周側ヒレ３５が室外側に向けて一体的に設けてある。
前記外周側面３１と外周面３０ｃとのコーナー部（つまり、室内側枠３１の外周縁）には、環状の外周側ヒレ３６が室外側に向けて一体的に設けてある。
この外周側ヒレ３６と前記内周側ヒレ３５は弾性を有する。すなわち、室内側枠３０は樹脂製である。
前記外向面３３には、前記室外側枠２０の突起２６が嵌合する凹部３７が周方向に間隔を置いて複数形成されている。
前記内周側面３１にはビス挿通孔３８が形成されている。
【００２５】
前記内周側面３２の下部には排水用凹部３９が形成されている。
この排水用凹部３９は、内周縁下部に一体的に設けた立上り部３９ａから外向面３３まで連続し、この排水用凹部３９において前記内周側ヒレ３５は不連続で、図３に示すようにパネル２の室内側面２ｃに沿って流れた結露水が排水用凹部３９内に流入し、その結露水は環状空間７（凹陥部２７）に流れる。
前記排水用凹部３９の下端縁には水切り用のヒレ３９ｂが室外側に向けて一体的に設けてある。このヒレ３９ｂによって排水用凹部３９に流れた結露水が外向面３３に流れることを防止する。
【００２６】
前記室外側枠２０と室内側枠３０の突き合わせ連結について説明する。
室外側枠２０の内向面２３にパネル２を嵌め込んで、そのパネル２の外周面２ｂを突起２６に接してパネル２の外周面２ｂと内向面２３との間に周方向に均一な隙間を形成する。
室外側枠２０の突起２６と室内側枠３０の凹部３７を嵌合して室外側枠２０と室内側枠３０を突き合わせる。これにより、パネル２の位置決め、さらに室外側枠２０と室内側枠３０の位置決めをすることができる。
図６に示すように室内側枠３０のビス挿通孔３８からビス４２を室外側枠２０のビス穴２８に螺合して各外周側面２１，３１を接して連結する。
前記ビス挿通孔３８は段付孔で、ビス４２はビス挿通孔３８の大径孔３８ａ内に収納され、その大径孔３８ａをキャップ４３で閉塞している。
【００２７】
前述のように、ビス４２を締め付けることでパネル２の室外側面２ａと室外側シール材４０が圧接すると共に、パネル２の室内側面２ｃが室内側シール材４１に圧接して各シール材を押しつぶしする。
このように、室外側シール材４０、室内側シール材４１を押しつぶしするために、室外側枠２０の内周側面２１とパネル２の室外側面２ａとの間及び室内側枠３０の内周側面３１とパネル２の室内側面２ｃとの間には隙間をそれぞれ設けているが、各内周側ヒレ２５，３５がパネル２の室外側面２ａ、室内側面２ｃにそれぞれ接して前述の隙間の開口縁を閉塞しているので、その隙間にゴミ等が溜まったりしないと共に、見栄えが良い。
【００２８】
また、室内側枠３０の外周側ヒレ３６が室外側枠２０の外周側面２１に接しているので、両者の外周側面２１，３１の接合部を気密、水密できる。
また、室外側枠２０の外周側面２１と室内側枠３０の外周側面３１との接合面、つまり室外側枠２０と室内側枠３０との接合部よりも前記排水用凹部３９が室外側であり、その排水用凹部３９の下端縁には水切り用ヒレ３９ｂが設けてあるので、前記排水用凹部３９に沿って流れる結露水は水切りされて前述の接合部まで流れることがない。
したがって、丸窓を建物躯体に取付けした時に、その結露水が前述の接合部から建物躯体に流れることがない。
【００２９】
前述の実施の形態では、枠１を樹脂製の室外側枠２０と室内側枠３０で構成したが、鋳物製などでも良いし、枠１を一体としても良い。
【図面の簡単な説明】
【００３０】
【図１】本発明の実施の形態を示す丸窓の外観図である。
【図２】本発明の実施の形態を示す丸窓の内観図である。
【図３】図１のＡ−Ａ断面図である。
【図４】室外側枠の内観図である。
【図５】室内側枠の外観図である。
【図６】図２のＢ−Ｂ断面図である。
【符号の説明】
【００３１】
１…枠、１ａ…室外側面、２…パネル、２ａ…室外側面、２ｂ…外周面、２ｃ…室内側面、３…丸窓、３ａ…室外側面、４…環状突片、５…内向片、６…排水溝、７…環状空間、８…通路、１０…排水用部品、１１…排水用流路、１１ａ…出口部分、１１ｂ…入口部分、２０…室外側枠、３０…室内側枠、３９…排水用凹部、３９ｂ…水切り用のヒレ。
【図１】
2007146575.tif 000003
【図２】
2007146575.tif 000004
【図３】
2007146575.tif 000005
【図４】
2007146575.tif 000006
【図５】
2007146575.tif 000007
【図６】
2007146575.tif 000008